(57)【特許請求の範囲】
【請求項１】
有底筒状の胴部(3)と、該胴部(3)の開口部に連設された外鍔状のフランジ(4)を有する、射出成形された容器本体(2)と、補強部材としての機能を有するインモールドラベル(8)とから構成された合成樹脂製カップ状容器であって、
前記インモールドラベル(8)は、前記胴部(3)から前記フランジ(4)の下面外周端まで連続して設けられ、前記フランジ(4)下面に沿って拡径延変形できる伸張性を有し、
前記インモールドラベル(8)は、前記フランジ(4)の下面に沿って拡径延変形しやすいように、前記胴部(3)と前記フランジ(4)の境界部分である角部(5)の内角部(5a)に曲率を有する円孤面を形成し、
前記インモールドラベル(8)が、補強部材としての機能を有するラベル層(8b)と、前記ラベル層(8b)と容器本体(2)を熱溶着によって強く接着する接着層(8a)、及び、前記ラベル層(8b)を保護する表面層(8c)とからなり、
前記表面層(8c)が、前記容器本体(2)を構成する樹脂材料と相溶性のある材料より形成された
ことを特徴とした合成樹脂製カップ状容器。
【請求項２】
インモールドラベル(8)が胴部(3)の外周面下端縁から設けられている請求項１に記載の合成樹脂製カップ状容器。
【発明の詳細な説明】
【技術分野】
【０００１】
本発明は、外鍔状のフランジを有する容器本体にインモールドラベルを設けた合成樹脂製射出成形品であるカップ状容器に関するものである。
【背景技術】
【０００２】
有底筒状の胴部と、胴部の開口部に連設された外鍔状のフランジを有する、射出成形された容器本体と、補強部材としての機能を有するインモールドラベルとから構成された合成樹脂製カップ状容器は、簡易な使い捨て容器として大量に使用されている。
【０００３】
上記のようなカップ状容器は、容器のフランジ部分の上面を利用して、アルミ箔や樹脂合成紙などの蓋材を接着して、容器を密閉するようにして利用される。しかし、落下あるいは運搬途中の衝撃によって、フランジ部分に強い応力が働くことにより、破損することがある。従って、構造的に強いフランジ部分を有するカップ状容器の実現が求められている。
【０００４】
上記のようなインモールドラベル付きカップ状容器においても、ラベル表示は容器の外から明瞭に目視できなければならないため、インモールドラベルは容器本体の胴部外周面に設けることが多い。このインモールドラベルは、表示、補強等の機能を有するラベル層に、熱溶着によって接着するホットメルト型接着剤を塗布して形成した接着層が積層されて構成される。
このようなインモールドラベルを成形金型に配置して射出成形により容器本体を形成すると、インモールドラベルの接着層が射出された高温の溶融樹脂によりラベル層と容器本体が強く溶着し、表示機能を有するだけでなく構造的にも補強された容器を形成することができる。
【０００５】
また、上記のカップ状容器では、各々容器本体の一部であるフランジと胴部の境界部分（以下、角部）には、衝撃や押下荷重による内部応力が集中しやすい。この角部近くにインモールドラベルの上端縁が配置されると、このインモールドラベルの上端縁部分で容器本体の肉厚が変化する。肉厚が変化した部分（以下、肉厚変化部分）は、上記した内部応力が集中するため、当該箇所より亀裂が生じやすくなり、胴部に破断などのより大きな損傷を招く恐れもある。
【０００６】
従って、このようなインモールドラベル付きカップ状容器においては、上記の亀裂が胴部に発生することを防ぐため、インモールドラベル上端縁部分を、若干フランジ内部に食い込ませるように形成することで、内部応力が集中することで亀裂が発生しやすい肉厚変化部分を、胴部角部近傍に配置しないように工夫した容器もある。
また、同様の趣旨により、インモールドラベルを、フランジ下面の途中にまで設けた構成の容器もある（特許文献１）。
【０００７】
しかし、インモールドラベルの上端縁部分を、若干フランジ内部に食い込ませるように形成したもの、あるいは、インモールドラベルを、フランジ下面の途中まで設けた構成のものにあっては、フランジに上記した肉厚変化部分が形成されるため、内部応力が当該部分に集中して、亀裂が生じる恐れがある。
【０００８】
このような亀裂がフランジに生じると、胴部に生じた場合と同様に、発生した亀裂により破断などのより大きな損傷を招く恐れもある。
以上のように、両者何れの容器においても、フランジ部全体としての構造的な問題を有している。
【先行技術文献】
【特許文献】
【０００９】
【特許文献１】特開２００９−２２７３１６号公報
【発明の概要】
【発明が解決しようとする課題】
【００１０】
そこで、本発明は、上記した従来技術における問題点を解消すべく創案されたもので、補強部材としての機能を有するインモールドラベルを活用することで、フランジ部全体の構造を強化することを第一の目的とする。
さらに、内部応力の集中に起因する亀裂発生の原因となる肉厚変化部分の形成を最小限にすることで、強度に問題のあるフランジ構造を改善し、落下や運搬時の衝撃による亀裂発生の抑制を第二の目的とすることによって、強度が強く構造的にも優れるインモールドラベル付きの合成樹脂製カップ容器を提供するものである。
【課題を解決するための手段】
【００１１】
本発明の主たる構成は、
有底筒状の胴部と、胴部の開口部に連設された外鍔状のフランジを有する、射出成形された容器本体と、補強部材としての機能を有するインモールドラベルとから構成された合成樹脂製カップ状容器であって、
インモールドラベルは、胴部から前記フランジの下面外周端まで連続して設けられ、フランジ下面に沿って拡径延変形できる伸張性を有し、
インモールドラベルは、フランジの下面に沿って拡径延変形しやすいように、胴部とフランジの境界部分である角部の内角部に曲率を有する円孤面を形成し、
インモールドラベルが、補強部材としての機能を有するラベル層と、ラベル層と容器本体を熱溶着によって強く接着する接着層、及び、ラベル層を保護する表面層とからなり、
表面層が、容器本体を構成する樹脂材料と相溶性のある材料より形成された
ことを特徴としたものである。
【００１２】
上記の構成によれば、補強部材としての機能を有するインモールドラベルは、胴部からフランジの下面に沿って拡径延変形可能である伸張性を有するために、胴部で巻回状に設けられたインモールドラベルは、角部からは拡径延変形して、フランジ下面外周端まで連続して設けられる。このため、フランジ下面の全域に補強部材としての機能を有するインモールドラベルを設けることができるので、フランジ部全体として、強度の強い構造を実現できる。
【００１３】
また、フランジの肉厚は、フランジ部分の全面に亘って一定であり内部応力が特定の部分に集中しない。すなわち、フランジに内部応力を集中させる部分が存在しないため、内部応力が集中することで生じる亀裂の発生を抑制し、この亀裂が誘因となる破断を防止できる。
【００１４】
本発明の他の構成は、上記主たる構成において、
インモールドラベルが胴部の外周面下端縁から設けられている、
というものである。
【００１５】
上記構成によれば、インモールドラベルが胴部の外周面下端縁から設けられているが、これはフランジ下面の全域に設けられたインモールドラベルと連続して設けられている。すなわち、ラベルが胴部下端縁からフランジ外端縁までの全域を覆う構造になるため、容器全体としても上述したような亀裂の発生を抑制し、強度の強いカップ状容器が構成できる。
【００１７】
上記主たる構成によれば、インモールドラベルの上下あるいは両周端縁と、容器本体と接する場合、当該接触面において、インモールドラベルの外表面を形成する表面層が、容器本体と強固に接着される。上述のように、インモールドラベルの上下あるいは両周端縁では、容器本体の肉厚が変化するため、内部応力が集中しやすく亀裂が生じやすいが、この亀裂の生じやすい部分を、インモールドラベルの表面層と容器本体との溶着部分が補強しているため、亀裂の発生を抑制できる。
【００１９】
上記主たる構成によれば、胴部とフランジの境界部分である角部の内角部を、インモールドラベルがフランジの下面に沿って拡径延変形しやすい曲率を有する円孤面に形成したため、射出成形により容器を成形する際に、インモールドラベルがスムーズにフランジ下面に沿って拡径延変形できるため、折れ目や皺のないインモールドラベルを設けられる。
【００２０】
すなわち、本願発明では、胴部で巻回状に設けられているインモールドラベルが、フランジ下面部分で拡径延変形することで、フランジ下面の全域に設けられている。そのため、インモールドラベルは、胴部に巻回状に設けられた部分と、フランジに放射状に設けられた部分の境界部分である内角部において湾曲する。この湾曲部分を拡径延変形しやすいような曲率を有する円孤面状に形成することで、スムーズに湾曲して折れ目や皺の発生を防ぐことができる。
【発明の効果】
【００２１】
本発明は、上記した構成となっているので、以下の示す効果を奏する。
すなわち、上記の構成によれば、補強部材としての機能を有するインモールドラベルは、胴部で巻回状に設けられたインモールドラベルは、角部からは拡径延変形して、フランジ下面外周端まで連続して設けられるため、フランジの下面の全域に補強部材としての機能を有するインモールドラベルを設けることができるので、フランジ部全体として、強度の強い構造を実現できる。また、容器本体の一部としてのフランジは肉厚が一定であり、内部応力が特定の部分に集中せず、亀裂の発生を抑制できる。
このため、運搬中の不測の破損を防止できる。また、従来と同じ強度の容器を肉薄化して実現できる。
【００２２】
さらに、インモールドラベルが胴部の外周面下端縁から設けられているものにあっては、フランジ下面の全域に設けられたインモールドラベルと連続して設けられているため、容器全体としてでも、強度の強いカップ状容器が構成できる。
【００２３】
また、インモールドラベルの表面層が容器本体を構成する樹脂材料と相溶性のある材料よりなるものにあっては、インモールドラベルの接着層と容器本体とが熱溶着により強固に接着できることは勿論のこと、インモールドラベルの上下・両周端縁において、インモールドラベルの表面層と容器本体の接触部分が熱溶着しているため、肉厚が変化して内部応力が集中する当該部分の亀裂発生を防ぎ、強度の強いカップ状容器を形成できる。
【００２４】
さらに、胴部とフランジの境界部分である角部の内角部を、インモールドラベルがフランジの下面に沿って拡径延変形しやすい曲率を有する円孤面に形成したものにあっては、インモールドラベルは、胴部に巻回状に設けられた部分とフランジに設けられた部分との境界部分である内角部において最も湾曲するが、この湾曲部分を拡径延変形しやすいような曲率を有する円孤面に形成しているため、スムーズに湾曲して折れ目や皺の発生を防ぐことができる。
そのため、射出成形時にスムーズにラベルを湾曲させて成形することができ、外見的にも美しいラベルが設けられる。
【図面の簡単な説明】
【００２５】
【図１】本実施例の容器の斜視図
【図２】本実施例の容器の正面図。
【図３】本実施例の容器の反転状態での斜視図
【図４】図３のＣ１部の拡大図
【図５】図４のＣ１１部の拡大図（ａ）、同図のラベル構造（ｂ）。
【図６】本実施例の容器を形成する金型装置の配置図（ラベル配置段階）
【図７】図６の角部相当部分の拡大図
【図８】本実施例の容器を形成する金型装置の配置図（充填段階）
【図９】本実施例の容器を形成する金型装置の配置図（完了段階）
【図１０】図８のＣ２の拡大図（ａ）、図９のＣ３の拡大図（ｂ）
【図１１】図９のＡ−Ａ’ 断面の断面図
【発明を実施するための形態】
【００２６】
以下、本発明の実施形態を、実施例に沿って図面を参照しながら説明する。
図１〜図５は、本発明のインモールドラベル付きの合成樹脂製カップ状容器の一実施例を示すものであり、図１は斜視図、図２は正面図である。また、図３は底部を上にした（反転状態の）斜視図である。
図４は、図３のＣ１部の拡大図である。また、図５（ａ）はＣ１１部の拡大図であり、図５（ｂ）は図５（ａ）のラベル構造を示している。
【００２７】
本発明におけるインモールドラベル付きのカップ状容器１は、図１〜３に示されるように、射出成形された容器本体２と、インモールドラベル８とから構成されており、容器本体２（図３参照）は、底部７を有し、上方に向って若干拡径した円筒形状の胴部３の上端開口縁にフランジ４を周設し、底部７よりも下位となる胴部３の下端部分を脚部６としている。
【００２８】
インモールドラベル８は、補強部材としての機能を有するものであると共に、フランジ４下面に沿って拡径延変形できる伸張性を有している。このインモールドラベル８が、インモールド成形によって、容器本体２の一部であるフランジ４の下面外周端まで設けられている。すなわち、図１〜３に示したように、フランジ４とインモールドラベル８によって、カップ容器１のフランジ部分である強化フランジ４ａが形成されている。
インモールドラベル８は、フランジ４下面に沿って拡径延変形できる伸張性を有するために、胴部３とフランジ４の境界部分である角部５の外側表面部分である内角部５ａから、フランジ４下面に沿ってフランジ４外周端まで、拡径延変形することで、切れ目なく連続して設けることができる。そのため、フランジ４は全面に亘って補強部材としての機能を有するインモールドラベル８によって補強されている。
図２のように、インモールドラベル８の上端縁は、容器本体２とは接することなく、フランジ４の外周端に配置される。従って、特許文献１の容器のように、インモールドラベル８上端縁とフランジ４との接触部分に形成されるフランジ４の肉厚変化部分は存在しない。
このため、上述のようにフランジ４全体を補強すると同時に、内部応力の集中に起因する亀裂発生を抑制することができる。
【００２９】
また、図３のように、容器本体２の一部である胴部３の外周面において巻回状に設けられているインモールドラベル８は、ラベル下端縁が胴部３下端縁に配置されている。従って、上述のフランジ４と同様に、インモールドラベル８下端縁と胴部３との接触部分に形成される胴部３の肉厚変化部分は存在しない。
このため、インモールドラベル８は胴部３全体を補強すると同時に、内部応力の集中に起因する亀裂発生を抑制することができる。
【００３０】
以上のように、本実施例では、補強機能があるインモールドラベル８によってフランジ４下面が全面に亘って補強され、フランジ４とインモールドラベル８の両者の作用によって強化された強化フランジ４ａが、カップ状容器１のフランジ部分として形成されている。さらに、肉厚変化部分がフランジ４には形成されていないため、内部応力が特定箇所に集中せず亀裂発生を抑制できる。
【００３１】
インモールドラベル８は三層構造である（図４及び図５参照）。ラベル層８ｂはフランジ４の下面に沿って拡径延変形できる伸張性を有している。また、補強機能を有している。接着層８ａは、ラベル層８ｂと容器本体２を熱溶着によって強く接着する接着剤が塗布されて形成されている。これは一般的なホットメルト型接着剤を塗布して形成できる。
表面層８ｃは、ラベル層８ｂを保護する機能を有する。これは、容器本体２と相溶性のある樹脂から形成されている。そのため、表面層８ｃが容器本体２と接触する部分、すなわち、インモールドラベル８の上下、両周端縁と容器本体２の接触部分において、容器本体２と強く溶着する。
当該部分では、上述のように肉厚変化部分が形成されるため、内部応力が集中しやしく、亀裂が生じやすい。しかし、上記の表面層８ｃによって、当該部分を外側から補強することができるため、亀裂の発生を抑制することができる。
【００３２】
本実施例では、上述のように、インモールドラベル８の上下端縁と容器本体２との接触部分は存在しない。
もっとも、図４のように、胴部３及びフランジ４の一部には、突合わせ状に位置するインモールドラベル８の両周端縁の間には、容器本体２の一部である胴部３あるいはフランジ４が一部露出した、ラベルの合わせ目９が形成されることがある。
【００３３】
理想的には、上記のようなラベルの合わせ目９は形成されない方が良い。
しかし、現実的には、インモールドラベル８を胴部３に巻回状に設ける場合、インモールドラベル８の両周端縁が重なると、その重なった部分では強く熱溶着しないため、当該部分から剥離が生じる恐れがある。また、ラベルが重なり合うことで美観を損ねる。
【００３４】
従って、多くの場合、上記のようなインモールドラベル８の両周端縁の重畳が生じないように、多少余裕を持たせるため、インモールドラベル８の両周端縁を突合わせ状に配置する。
【００３５】
この場合、突合わせ状に位置するインモールドラベル８の両周端縁の間には、容器本体２の一部である胴部３あるいはフランジ４が一部露出して形成された、ラベルの合わせ目９が形成される。このラベルの合わせ目９では、容器本体２の肉厚変化部分が形成されるため、内部応力の集中により亀裂発生の恐れがある。
【００３６】
しかし、本実施例では、表面層８ｃがラベル層８ｂを保護する機能を有すると同時に、容器本体２と相溶性のある樹脂から形成されているため、表面層８ｃと容器本体２の一部であるフランジ４とが、表面層８ｃの厚さｄの範囲で溶着している（図５）。
従って、当該部分に応力が集中して生じる亀裂の発生を防ぐことができる。
【００３７】
図４に示されるように、胴部３とフランジ４の境界部分である角部５の内角部５ａは、インモールドラベル８がフランジ４下面に沿って、拡径延変形しやすい曲率ｒを有する円孤面に形成されている。胴部３で巻回状に設けられているインモールドラベル８が、フランジ４の下面部分で拡径延変形することで、フランジ４下面の全域に設けられている。
【００３８】
図４のように、インモールドラベル８は、胴部３に巻回状に設けられている部分と、フランジ４下面に設けられている部分の境界部である内角部５ａにおいて湾曲する。この湾曲部分を拡径延変形しやすいような曲率半径ｒを有する円孤面に形成することによって、当該部分でインモールドラベル８をスムーズに湾曲させて、折れ目や皺の発生を防いでいる。
【００３９】
以下で詳述するが、射出成形の金型装置では、内角部５ａに相当する型面が同曲率を有する円孤面に形成されている。従って、射出成形の際には、当該金型の円孤面に沿ってスムーズにインモールドラベル８が拡径延変形できるため、当該部分でインモールドラベル８に不自然な折れ目や皺が生じることもない。
【００４０】
図６〜図１１は、本発明の容器の成形方法を示す。図６は、本実施例の容器の金型配置図であり、インモールドラベルを金型に配置した段階（以下、ラベル配置段階）の状態を示す。図７は、図６の角部相当部分での拡大図を示している。図８は、本実施例の容器を形成する金型装置の配置図であり、ラベル配置と金型配置を完了し、溶融樹脂を充填している段階（以下、充填段階）を示している。また、図９は、本実施例の容器を形成する金型装置の配置図であり、溶融樹脂の充填を完了して、容器形成された状態（以下、完了段階）を示す。図１０（ａ）は、図８のＣ２の拡大図であり、図１０（ｂ）は、図９のＣ３の拡大図である。図１１は、完了段階の図９のＡ−Ａ’ 断面の断面図を示している。
【００４１】
図６のように、インモールドラベル８は、胴部３の外周壁に相当する固定金型１１の型面に、その一部分が上にフランジの幅だけ突き出したように配置する。図６には図示されていないが、インモールドラベル８は、例えば、バキュームによってホールドする。その後、移動金型１０を図６中の矢印方向に移動する。
尚、図６〜図１１では、溶融樹脂の射出圧を利用してインモールドラベル８の拡径延変形を行っている。しかし、予め専用治具を用いてインモールドラベル８を拡径延変形させて（図１０（ｂ）のようにインモールドラベル８を寝た状態で固定金型１１の型面に接するように変形させる）固定金型１１からバキュームによってホールドする方法もある。
この場合、移動金型１０を配置する前に、上述の専用治具を用いてインモールドラベル８を拡径延変形させた上で固定金型１１にバキュームによってホールドする。
【００４２】
図７に示すように、角部５は、移動金型１０では外角部５ｂに形成された円孤面状の型面が形成されており、固定金型１１では内角部５ａに形成された円孤面の型面が形成されている。
外角部５ｂに形成された曲率半径Ｒの円孤面は、上記した移動金型１１の移動の際に、インモールドラベルの上端縁を外側に曲げるように作用する。また、上述のように、内角部５ａに形成された円孤面の曲率半径ｒは、インモールドラベル８がフランジ４の下面に沿って拡径延変形しやすいような曲率を有する円孤面に形成されている。尚、外角部５ｂに形成された円孤面の曲率半径Ｒと、内角部５ａに形成された円孤面の曲率半径ｒは必ずしも一致する必要はない。
【００４３】
図７において、移動金型１１が移動する際には、インモールドラベル８の上端部が移動金型１１の外角部５ｂの型面に当接して、インモールドラベル８は外方向に曲げられる（図７（ａ）、矢印アの方向）。さらに移動金型１１が動かせば（図７（ｂ）、矢印イの方向）、インモールドラベル８も移動金型１１の動きに応じて外側に曲げられる。この際、上述のように、固定金型１１では内角部５ａに形成された円孤面の型面が形成されているため、インモールドラベル８は内角部５ａに形成された円孤面の固定金型１１の型面に沿って無理なく曲げられる。従って、金型配置が完了した状態では、図８のように、インモールドラベル８は外側に曲げられ、上端縁が移動金型１１に当接する形態となる。
【００４４】
図８のように、インモールドラベル８と移動金型１０及び固定金型１１を配置した状態で、容器本体２底部中央部分の固定金型１１の型面に開口されたゲート１２から溶融樹脂を射出する。
この溶融樹脂は、キャビティの底部７相当部分から、胴部３側周壁相当部分を経て、フランジ４相当部分に向かって流動する。充填を完了した後（図９）に、冷却固化を待って離型する。これにより、本実施例のインモールドラベル付きのカップ状容器１が得られる。
【００４５】
図１０（ａ）に示すように、フランジ４に設けられるインモールドラベル８の一部分は、溶融樹脂の射出圧によって、フランジ４下面に相当する固定金型１１の型面に押し付けられる（図１０（ａ）、矢印ウの方向に押し付けられる）。
インモールドラベル８は、フランジ４下面に沿って拡径延変形可能である伸張性を有する。また、内角部５ａ部分の固定金型１１の型面にはフランジ４下面に沿って拡径延変形しやすい曲率半径ｒを有する円孤面が設けてある。
そのため、溶融樹脂の射出圧を受けた場合、内角部５ａ部分の固定金型１１の型面がガイドとなって、インモールドラベル８が上記の拡径延変形を行う際に、皺や折れ曲がることなく、内角部５ａに設けられるラベル部分をスムーズに湾曲させることができる。
【００４６】
図１１は、完了段階の図９のＡ−Ａ’ 断面の断面図を示している。
補強部材としての機能を有するラベル層８ｂが接着層８ａを介してフランジ４と熱溶着により強く接着している。また、ラベル層８ｂを保護する機能を有する表面層８ｃは、ラベルの合わせ目９で、フランジ４との接触部分（Ｐ１及びＰ２）で熱溶着により強く接着されている。
【００４７】
以上のように、インモールドラベル８とフランジ４は、カップ状容器１のフランジ部全体としての強化フランジ４ａを構成している。この強化フランジ４ａにあっては、補強部材としての機能を有するインモールドラベル８がフランジ４の下面全面に設けられているため、カップ状容器１のフランジ部分である強化フランジ４ａは、全体に亘ってインモールドラベル８により補強されている。また、インモールドラベル８の上端縁がフランジ４の外周端にあるため、インモールドラベル８上端縁とフランジ４との接触部分により形成される肉厚変化部分が存在しないため、応力集中による亀裂発生も抑制できる。
また、ラベルの合わせ目９が形成されたとしても、上記のようにインモールドラベル８の表面層８ｃとフランジ４の接触部分（Ｐ１、Ｐ２）が強く熱溶着されているため、亀裂の発生を抑制している。従って、強化フランジ４ａは、強度が強く亀裂が発生しにくい構造になる。
このように、従来のカップ状容器のフランジ部分より強い構造のフランジ部分を実現できるため、上記実施例のカップ状容器１においては、さらに肉薄化することも可能である。
【００４８】
以上の実施例に沿って、本願発明の実施形態とその作用効果について説明したが、本願発明はこの実施例に限定されるものではない。
【産業上の利用可能性】
【００４９】
以上のように、本発明は、上からの押下荷重に対して、構造的に強いフランジ有するインモールドラベル付きカップ状容器を実現することが可能である。
このために、より構造的に強い容器が実現できるため、より肉薄で軽量化した容器の実現が期待できるものである。従って、本発明によりインモールドラベル付きカップ容器は、食品他、幅広い利用展開が期待できる。
【符号の説明】
【００５０】
１    ；カップ状容器
２    ；容器本体
３    ；胴部
４    ；フランジ
４ａ  ；強化フランジ
５    ；角部
５ａ  ；内角部
５ｂ  ；外角部
６    ；脚部
７    ；底部
８    ；インモールドラベル
８ａ  ；接着層
８ｂ  ；ラベル層
８ｃ  ；表面層
９    ；ラベルの合わせ目
１０  ；移動金型
１１  ；固定金型
１２  ；ゲート
【図１】
0005943247.tif 000002
【図２】
0005943247.tif 000003
【図３】
0005943247.tif 000004
【図４】
0005943247.tif 000005
【図５】
0005943247.tif 000006
【図６】
0005943247.tif 000007
【図７】
0005943247.tif 000008
【図８】
0005943247.tif 000009
【図９】
0005943247.tif 000010
【図１０】
0005943247.tif 000011
【図１１】
0005943247.tif 000012